(57)【要約】【課題】ユーザによる給水タンクの補給作業の負担を軽減する。【解決手段】本発明の加湿機１は、給水タンク（１１０Ａ、１１０Ｂ）から、貯水トレイ（１０６）に給水する給水タンクを選択する給水タンク選択部（１２０）を有し、上記給水タンク選択部（１２０）によって選択された給水タンクは、当該給水タンク内の水の量が、当該給水タンクへの水の補給が必要な水の量になるまで、上記貯水トレイ（１０６）に給水する。【選択図】図３
2018084349.tif 000002
【特許請求の範囲】
【請求項１】
貯水トレイと、上記貯水トレイに給水する複数の給水タンクとを備え、上記貯水トレイに貯水された水を利用して加湿する加湿機であって、
上記複数の給水タンクから、上記貯水トレイに最初に給水する給水タンクを選択する給水タンク選択部を有し、
上記給水タンク選択部によって選択された給水タンクは、当該給水タンク内の水の量が、当該給水タンクへの水の補給が必要な水の量になるまで、上記貯水トレイに給水することを特徴とする加湿機。
【請求項２】
上記複数の給水タンクは２つの給水タンクであり、
上記給水タンク選択部は、
上記２つの給水タンクの一方の給水タンクを載置する第１載置部と、
上記２つの給水タンクの他方の給水タンクを載置する第２載置部と、
上記第１載置部と上記第２載置部とを連結する連結部材と、
上記連結部材を揺動自在に支持する支持部と、を有することを特徴とする請求項１に記載の加湿機。
【請求項３】
上記複数の給水タンクは２つの給水タンクであり、
上記給水タンク選択部は、
上記２つの給水タンクの一方の給水タンクを載置する第１載置部と、
上記２つの給水タンクの他方の給水タンクを載置する第２載置部と、
上記第１載置部および上記第２載置部それぞれを弾性力によって支持する弾性部材と、を有することを特徴とする請求項１に記載の加湿機。
【請求項４】
上記給水タンク選択部は、
上記複数の給水タンクと上記貯水トレイとの間に設けられ、上記複数の給水タンクそれぞれから当該貯水トレイに給水するための給水管の開閉を行う電磁弁と、
上記複数の給水タンクそれぞれに設けられた磁石と、当該複数の給水タンクそれぞれが上記貯水トレイへの給水位置に載置されたとき、当該磁石の磁界によってオン・オフするリードスイッチと、
上記リードスイッチのオン・オフに応じて上記電磁弁の開閉を制御する電磁弁制御部と、を有することを特徴とする請求項１に記載の加湿機。
【請求項５】
上記給水タンク選択部は、
上記複数の給水タンクと上記貯水トレイとの間に設けられ、上記複数の給水タンクそれぞれから当該貯水トレイに給水するための給水管の開閉を行う電磁弁と、
上記複数の給水タンクそれぞれが上記貯水トレイへの給水位置に載置されたとき、それぞれの給水タンクの重量を検出する重量センサと、
上記重量センサの検出信号に応じて上記電磁弁の開閉を制御する電磁弁制御部と、を有することを特徴とする請求項１に記載の加湿機。
【請求項６】
気化または霧化された上記貯水トレイに貯水された水を風に乗せて外部に排出する送風部と、
上記給水タンク選択部によって選択された給水タンクの水が無くなったとき、風量を下げるように上記送風部を制御する送風制御部と、を備えていることを特徴とする請求項１〜５の何れか１項に記載の加湿機。
【請求項７】
上記給水タンク選択部によって選択された給水タンクの水の量が、当該給水タンクへの水の補給が必要な水の量予め設定した水の量以下に減ったことを報知する報知部をさらに備えていることを特徴とする請求項１〜６の何れか１項に記載の加湿機。
【発明の詳細な説明】
【技術分野】
【０００１】
本発明は、複数の貯水タンクから水が供給される加湿機に関する。
【背景技術】
【０００２】
従来、加湿機は水の気化により室内空気を加湿する為に広く利用されている。例えば、特許文献１には、内部に加湿装置を有する本体と、この本体に着脱自在に載置され、かつ、水槽に定水位給水する複数の給水タンクを有し、前記複数の給水タンクが載置される支持面にそれぞれ段差を設け、前記本体の側面に位置し、かつ最下段の前記支持面に載置された給水タンクに対面する位置に水位表示窓を設けてなる加湿機が開示されている。
【先行技術文献】
【特許文献】
【０００３】
【特許文献１】特開平２−１１０２３２号公報（１９９０年４月２３日公開）
【発明の概要】
【発明が解決しようとする課題】
【０００４】
しかしながら、特許文献１に開示された加湿機では、複数の給水タンクの全てにおいて水が無くなったときが、給水のタイミングであるため、複数の給水タンクに対して一度に給水を行う必要がある。つまり、空になった給水タンクを全て取り出して、それぞれの給水タンクに水を補給することになるため、ユーザにとって負担が大きくなる。特に、非力な子供や女性にとって、複数の給水タンクの補給作業を行うことは非常に大きな負担となる。
【０００５】
本発明の一態様は、ユーザにとって給水タンクの補給作業の負担を軽減することができる加湿機を実現することを目的とする。
【課題を解決するための手段】
【０００６】
上記の課題を解決するために、本発明の一態様に係る加湿機は、貯水トレイと、上記貯水トレイに給水する複数の給水タンクとを備え、上記貯水トレイに貯水された水を利用して加湿する加湿機であって、上記複数の給水タンクから、上記貯水トレイに最初に給水する給水タンクを選択する給水タンク選択部を有し、上記給水タンク選択部によって選択された給水タンクは、当該給水タンク内の水の量が、当該給水タンクへの水の補給が必要な水の量になるまで、上記貯水トレイに給水することを特徴としている。
【発明の効果】
【０００７】
本発明の一態様によれば、ユーザにとって給水タンクの補給作業の負担を軽減することができるという効果を奏する。
【図面の簡単な説明】
【０００８】
【図１】本発明の実施形態１に係る加湿機の概略斜視図である。
【図２】（ａ）は図１に示す加湿機の天面図、（ｂ）は（ａ）において給水タンクを露出した状態を示す天面図である。
【図３】（ａ）は図１に示す加湿機の正面図、（ｂ）は（ａ）において給水タンクを露出した状態を示す正面図である。
【図４】図１に示す加湿機が備える給水タンク選択部の概略構成図である。
【図５】（ａ）は図４に示す給水タンク選択部の側面図、（ｂ）は（ａ）の給水タンク選択部の平面図である。
【図６】（ａ）は、図１に示す加湿機に備えられた貯水トレイと給水タンクとの関係を示し、（ｂ）は、（ａ）のＡＡ線矢視断面図である。
【図７】図１に示す加湿機が備える給水制御部の概略ブロック図である。
【図８】本発明の実施形態２に係る加湿機を示し、（ａ）は、ハウジング内の給水タンクを露出させた状態を示す正面図であり、（ｂ）は、給水タンク選択部の概略を示す図である。
【図９】図８の（ｂ）に示す給水タンク選択部を構成する部材の概略構成を示す図である。
【図１０】本発明の実施形態３に係る加湿機における給水タンクを露出させた状態を示す図である。
【図１１】図１０に示す加湿機が備える貯水トレイの底面側から見た斜視図である。
【図１２】図１０に示す加湿機が備える給水タンク選択部の電磁弁の一例を示す図である。
【図１３】図１２に示す電磁弁による流路全閉状態を示す図である。
【図１４】図１２に示す電磁弁による流路片側開状態を示す図である。
【図１５】図１２に示す電磁弁による流路片側開状態を示す図である。
【図１６】図１２に示す電磁弁による流路全開状態を示す図である。
【図１７】（ａ）は、給水タンクそれぞれに磁石を設けた図、（ｂ）（ｃ）は、磁石によりオン・オフするリードスイッチの形成位置を示す図である。
【図１８】本発明の実施形態３の変形例を示す図である。
【発明を実施するための形態】
【０００９】
〔実施形態１〕
以下、本発明の実施の形態について、説明すれば以下の通りである。なお、本発明を適用する加湿機は、気化式の加湿機として説明するが、他の方式（霧化方式（超音波式）、加熱式等）の加湿機であってもよい。
【００１０】
（加湿機の概略説明）
図１は、本実施の形態の加湿機１の外観を示す斜視図である。図２の（ａ）は加湿機１の天面図、（ｂ）は（ａ）において給水タンクを露出した状態を示す天面図である。図３の（ａ）は加湿機１の正面図、（ｂ）は（ａ）において給水タンクを露出した状態を示す正面図である。
【００１１】
加湿機１は、略直方体のハウジング（外装部）１０１を備えている。ハウジング１０１の側面１０１ａには吸気口１０２が形成され、ハウジング１０１の天面１０１ｂには送気口１０３が形成されている。吸気口１０２は、ハウジング１０１の側面１０１ａに、多数の吸気孔を並設して構成されている。吸気口１０２の内側には、吸気された空気から埃等を取り除くプレフィルタ（図示せず）が取り付けられている。
【００１２】
ハウジング１０１の天面１０１ｂにおける送気口１０３の周囲には、加湿機１に対する操作を行うための操作部（図示せず）が設けられている。なお、操作部の位置は、送気口１０３の周囲に限るものではなく、例えば、ハウジング１０１における吸気口１０２の上方等、別の位置に設けてもよい。
【００１３】
加湿機１の内部には、上記の吸気口１０２と送気口１０３とを連絡する送風路（図示せず）が形成され、送風ファン１０９（図１７）、給水タンク１１０Ａ、給水タンク１１０Ｂ、貯水トレイ１０６（図１）、加湿フィルタ１０７（加湿部）（図６）等が配設されている。
【００１４】
送風ファン１０９は、吸気口１０２から送風路内に導入され、送風路内を通って、送気口１０３を経て送風路の外部にける気流を形成するものである。送風ファン１０９は、送風路における吸気口１０２の開設位置よりも上に配設されている。送風ファン１０９が駆動されると、ハウジング１０１の下部周面に設けた吸気口１０２を経て送風路の内部に空気が導入され、導入された空気は上向きに方向を変えて流れ、ハウジング１０１の天面１０１ｂに設けた送気口１０３から外部に送り出される。これにより、加湿された空気が室内に排出される。
【００１５】
ハウジング１０１の天面１０１ｂには、さらに、２つの給水タンク１１０Ａ、１１０Ｂが装着されている面を開放するために蓋１０４が着脱自在に設けられている。
【００１６】
ハウジング１０１の正面１０１ｃには、内部に装着された給水タンク１１０Ａ、給水タンク１１０Ｂの残量を確認するための確認用の窓１０５がそれぞれの給水タンク１１０Ａ、給水タンク１１０Ｂに対応する位置に形成されている。
【００１７】
さらに、ハウジング１０１の正面１０１ｃの下方には、給水タンク１１０Ａ、給水タンク１１０Ｂから給水される貯水トレイ１０６が形成されている。貯水トレイ１０６は、加湿機１をメンテナンスするときに、ハウジング１０１から引き出すことが可能となっている。
【００１８】
従って、上記構成の加湿機１は、２つの給水タンク１１０Ａ、給水タンク１１０Ｂから給水され、加湿用の水を貯水する貯水トレイ１０６と、当該貯水トレイ１０６に貯水された水を利用して加湿する加湿フィルタ１０７とを備えている。以下に、給水タンク１１０Ａおよび給水タンク１１０Ｂの貯水トレイ１０６への給水機構について説明する。
【００１９】
（給水タンクによる給水機構）
給水タンク１１０Ａおよび給水タンク１１０Ｂは、量が同じであり、底部（後述する設置部への設置面側）から上記貯水トレイ１０６に給水するようになっている。
【００２０】
図４は、給水タンク選択部１２０の概略構成を示し、図５の（ａ）は給水タンク選択部１２０の側面図、図５の（ｂ）は給水タンク選択部１２０の平面図を示す。
【００２１】
ハウジング１０１内には、図３の（ｂ）に示すように、給水タンク１１０Ａおよび給水タンク１１０Ｂによる給水機構として、２つの給水タンク１１０Ａ，１１０Ｂの何れか一方の給水タンクを貯水トレイ１０６に最初に給水する給水タンクとして選択する給水タンク選択部１２０を有している。そして、給水タンク選択部１２０によって選択された給水タンクは、当該給水タンク内の水の量が、当該給水タンクへの水の補給が必要な水の量になるまで、上記貯水トレイに給水するようになっている。
【００２２】
給水タンク選択部１２０は、図４に示すように、給水タンク１１０Ａ（一方の給水タンク）を載置する第１載置部１２１Ａと、給水タンク１１０Ｂ（他方の給水タンク）を載置した第２載置部１２１Ｂと、第１載置部１２１Ａと第２載置部１２１Ｂとを上記第１載置部と上記第２載置部とを連結する連結部材１２２と、連結部材１２２を揺動自在に支持する支持部１２３と、を有する。
【００２３】
第１載置部１２１Ａおよび第２載置部１２１Ｂは、それぞれ円形状であり、給水タンク１１０Ａおよび給水タンク１１０Ｂそれぞれの底部が載置されたときに、当該給水タンク１１０Ａおよび給水タンク１１０Ｂのそれぞれの底部から水を貯水トレイ１０６に供給可能な構造となっている。
【００２４】
連結部材１２２は、両端に、第１載置部１２１Ａおよび第２載置部１２１Ｂそれぞれの両側面で回動自在に支持する略Ｃ形状の支持部１２２ａ，１２２ｂが形成されている。つまり、連結部材１２２の支持部１２２ａ，１２２ｂによって支持された第１載置部１２１Ａおよび第２載置部１２１Ｂは、図５の（ａ）に示すように、給水タンク１１０Ａ、１１０Ｂを搭載する面が常に平行になるように支持している。
【００２５】
（給水タンク選択部１２０の動作）
給水タンク選択部１２０において、一方の給水タンクである給水タンク１１０Ａを載置する第１載置部１２１Ａと、他方の給水タンクである給水タンク１１０Ｂを載置した第２載置部１２１Ｂとを連結する連結部材１２２を支持部１２３によって揺動自在に支持することで、２つの給水タンク１１０Ａ，１１０Ｂは、シーソー構造によって支持されることになる。つまり、２つの給水タンク１１０Ａ，１１０Ｂは同じ量であるので、一方の給水タンク（例えば１１０Ｂ）が他方の給水タンク（例えば１１０Ａ）よりも重ければ、第１載置部１２１Ａに載置された給水タンク１１０Ａの位置が第２載置部１２１Ｂに載置された給水タンク１１０Ｂの位置よりも上になるように第１載置部１２１Ａおよび第２載置部１２１Ｂが移動する。給水タンク１１０Ａおよび１１０Ｂにはそれぞれ給水弁（図示せず）が設けられ、載置された状態では前記給水弁は常時開口している。給水タンク１１０Ｂよりも上に位置する給水タンク１１０Ａに備わる給水キャップ（図示せず）の下端（給水口）が貯水トレイ１０６中の水位より高く位置することにより、給水タンク１１０Ａ内の水と給水タンク１１０Ａ外の空気との置換が起こる。これにより、給水タンク１１０Ａから貯水トレイ１０６へ水が供給される。一方、給水タンク１１０Ａより下に位置する給水タンク１１０Ｂでは、給水タンク１１０Ｂに備わる給水キャップ（図示せず）の下端が貯水トレイの水中に位置する。そのため、給水タンク１１０Ｂ内の水と給水タンク１１０Ｂ外の空気との置換が発生せず、給水タンク１１０Ｂからは貯水トレイ１０６へ水が供給されない。
【００２６】
これにより、第２載置部１２１Ｂに載置された給水タンク１１０Ｂから水が無くなり、次に、第１載置部１２１Ａに載置された給水タンク１１０Ａの水がなくなる。そして、水の無くなった給水タンク１１０Ｂを加湿機から取出し、再度水を補給した給水タンク１１０Ｂを第２載置部１２１Ｂに載置すると、既に、第１載置部１２１Ａに載置された給水タンク１１０Ａからはいくらかの水が貯水トレイに供給されているので、第１載置部１２１Ａに載置された給水タンク１１０Ａは、第２載置部１２１Ｂに載置された給水タンク１１０Ｂよりも軽くなっている。このため、第２載置部１２１Ｂに給水タンク１１０Ｂが載置されると、第１載置部１２１Ａに載置された給水タンク１１０Ａの位置よりも第２載置部１２１Ｂに載置された給水タンク１１０Ｂの位置が下がるため、第２載置部１２１Ｂよりも上になった第１載置部１２１Ａに載置された給水タンク１１０Ａから貯水トレイ１０６に水が供給される。
【００２７】
従って、上記構成の加湿機１では、先に載置した給水タンクから必ず貯水トレイ１０６に水が供給され、先に載置した給水タンクから水が無くなる。ここで、給水タンクから水が無くなるとは、当該給水タンクから水が完全に無くなった状態を意味するだけではなく、給水タンク内の水の量が、当該給水タンクへの水の補給が必要な水の量以下になった状態を含む。
【００２８】
（加湿動作）
図６の（ａ）は、貯水トレイ１０６と給水タンク１１０Ａ、１１０Ｂとの関係を示し、図６の（ｂ）は、図６の（ａ）のＡＡ線矢視断面を示す。
【００２９】
気化式の加湿機１では、運転状態になると、加湿フィルタ１０７への水の供給が始まる。つまり、貯水トレイ１０６への給水タンク１１０Ａまたは給水タンク１１０Ｂからの水の供給が開始され、当該貯水トレイ１０６に貯留する水が加湿フィルタ１０７に浸透し始める。
【００３０】
加湿フィルタ１０７は、送風ファン１０９による送風が行われる送風路内に配置されているため、当該送風路内を通って、送気口１０３に向かう気流が当該加湿フィルタ１０７に当たり、送気口１０３を経て送風路の外部に排出される。これにより、加湿された空気が室内に排出される。
【００３１】
（給水制御）
図７は、加湿機１における給水制御を行う給水制御部１４０の制御ブロックを示す。給水制御部１４０は、入力側に水位センサ１４１が接続されて、出力側に報知部１４２、ファン駆動モータ１４３が接続されている。なお、給水制御部１４０には、さらに入力側にリードスイッチ１６２Ａ、１６２Ｂ、重量センサ１１２Ａ，１１２Ｂが接続され、出力側に電磁弁１５２が接続されている。これらについては、後述の実施形態３にて説明する。
【００３２】
給水制御部１４０は、報知制御部１４４、水位検知制御部１４５、ファン制御部１４６、電磁弁制御部２０１を備えている。なお、電磁弁制御部２０１については後述の実施形態３にて説明する。
【００３３】
報知制御部１４４は、水位検知制御部１４５による水位センサ１４１が検知した水位に応じて報知部１４２の報知制御を行う。具体的には、水位センサ１４１が検知した水位が一つの給水タンクの残量が無くなったことを示す水位である場合に、給水タンクの水が無くなったことを報知部１４２によってユーザに報知する。給水タンクの水が無くなったことを知らせる報知の手段としては、音声により「給水タンクの水が無くなりました。」と知らせてもよいし、ビープ音等の音により知らせてもよいし、操作パネルに表示するようにしてもよい。
【００３４】
また、気化式の加湿機１の場合には、加湿機１が駆動している間、送風ファン１０９による送風が行われているが、上記のように、片方の給水タンクの水が無くなったとき、風量を下げることで、加湿機１における加湿運転時間を長くするようにしてもよい。ファン制御部１４６は、水位検知制御部１４５による水位センサ１４１が検知した水位に応じてファン駆動モータ１４３の駆動制御を行う。具体的には、水位センサ１４１が検知した水位が一つの給水タンクの残量が無くなったことを示す水位である場合に、送風ファン１０９による風量を下げるようにファン駆動モータ１４３の駆動を制御する。
【００３５】
このように、片方の給水タンクの水が無くなったときに、送風ファン１０９の風量を下げることで、加湿運転時間を長くすることができる。例えば、片方の給水タンクの水が無くなっても補給作業がすぐに行えない就寝中に加湿運転が停止するのを防止することが可能となる。
【００３６】
ここで、給水タンク１１０Ａ、１１０Ｂは、何れも同じ量であり、水を同じ量補給することを想定する。そのうえで、上記構成のように、給水タンク１１０Ａ、１１０Ｂを受ける構造をシーソー構造にすることによって、例えば先に給水タンク１１０Ａを入れた場合、当該給水タンク１１０Ａから貯水トレイ１０６に対して規定の水位まで水が供給される。次に、給水タンク１１０Ｂを入れた場合、給水タンク１１０Ａからは既に水が規定量出ているため、当然給水タンク１１０Ａよりも給水タンク１１０Ｂのほうが重い。よって、最初に入れた給水タンク１１０Ａの位置が給水タンク１１０Ｂの位置よりも上がる。このように、給水タンク１１０Ａの位置が給水タンク１１０Ｂの位置よりも高い位置にあるので、給水タンク１１０Ａから水が無くなる。この給水タンク１１０Ａの水が無くなったときの貯水トレイ１０６における水位を水位センサ１４１によって検知すると同時に、報知部１４２によってユーザに給水タンク１１０Ａの水が無くなったことを報知する。そして、水が無くなった給水タンク１１０Ａに水を補給して、再度、給水タンク１１０Ａをセットすると、今度は、給水タンク１１０Ａのほうが給水タンク１１０Ｂよりも重くなるため、給水タンク１１０Ｂの位置が給水タンク１１０Ａの位置よりも上がる。このように、給水タンク１１０Ｂの位置が給水タンク１１０Ａの位置よりも高い位置にあるので、給水タンク１１０Ｂから水が無くなる。この給水タンク１１０Ｂの水が無くなったときの貯水トレイ１０６における水位を水位センサ１４１によって検知すると同時に、報知部１４２によってユーザに給水タンク１１０Ｂの水が無くなったことを報知する。
【００３７】
従って、報知部１４２等によって、片方の給水タンクの水が無いことをユーザに知らせることにより、片方の給水タンクのみに水を補給する補給作業を行えばよいことになり、ユーザにとって給水タンクの補給作業の負担を軽減することができる。しかも、先に載置した給水タンクから水が無くなるため、タンク内の水も清潔に保つことができる。
【００３８】
なお、本実施形態では、シーソー構造によって給水タンクを選択していたが、以下の実施形態では、バネ構造によって給水タンクを選択する例について説明する。
【００３９】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００４０】
（給水タンク選択部の概要）
図８の（ａ）は、ハウジング１０１内の給水タンク１１０Ａ、１１０Ｂを露出させた状態を示す正面図であり、図８の（ｂ）は、本実施形態に係る給水タンク選択部１３０の概略を示す図である。
【００４１】
給水タンク選択部１３０は、図８の（ｂ）に示すように、給水タンク１１０Ａ（一方の給水タンク）を載置する第１載置部１３１Ａと、給水タンク１１０Ｂ（他方の給水タンク）を載置した第２載置部１３１Ｂと、上記第１載置部１３１Ａおよび上記第２載置部１３１Ｂを、それぞれ同じ弾性力によって支持する第１バネ１３２Ａ、第２バネ１３２Ｂ（弾性部材）と、を有する。
【００４２】
第１載置部１３１Ａおよび第２載置部１３１Ｂは、図９の（ｂ）に示すように、前記実施形態１の第１載置部１２１Ａおよび第２載置部１２１Ｂと同様にそれぞれ円形状であり、給水タンク１１０Ａおよび給水タンク１１０Ｂそれぞれの底部が載置されたときに、当該給水タンク１１０Ａおよび給水タンク１１０Ｂのそれぞれの底部から水を貯水トレイ１０６に供給可能な構造となっている。
【００４３】
第１バネ１３２Ａおよび第２バネ１３２Ｂは、図９の（ａ）に示すように、それぞれ第１載置部１３１Ａおよび第２載置部１３１Ｂの下面に形成され、上からの付勢力に抗するようになっている。また、第１バネ１３２Ａおよび第２バネ１３２Ｂの弾性力はそれぞれ同じであるので、給水タンク１１０Ａおよび１１０Ｂが同じ重さであれば、第１載置部１３１Ａと第２載置部１３１Ｂは釣り合う。
【００４４】
通常、給水タンク１１０Ａ、１１０Ｂを同時に加湿機１に装填することはなく、どちらか一方の給水タンクから加湿機１に装填することになる。従って、同じ量の水を入れた給水タンクであれば、先に加湿機１に装填した給水タンクから貯水トレイ１０６に給水されるので、次に加湿機１に装填した給水タンクのほうが先に装填した給水タンクよりも重くなる。このとき、上述したバネ（第１バネ１３２Ａ、第２バネ１３２Ｂ）により、先に加湿機１に装填した給水タンクの位置は、次に加湿機１に装填した給水タンクの位置よりも上になる。よって、先に加湿機１に装填した給水タンクから貯水トレイ１０６に給水されるため、給水タンクの水が先に無くなる。上述したバネ構造によっても、前記実施形態１のシーソー構造による効果と同様の効果を奏する。バネ構造の給水制御について以下に説明する。
【００４５】
（給水制御）
ここで、給水タンク１１０Ａ、１１０Ｂは、何れも同じ量であり、水を同じ量補給することを想定する。そのうえで、上記構成のように、給水タンク１１０Ａ、１１０Ｂを受ける構造をバネ構造にすることによって、例えば先に給水タンク１１０Ａを入れた場合、当該給水タンク１１０Ａから貯水トレイ１０６に対して規定の水位まで水が供給される。次に、給水タンク１１０Ｂを入れた場合、給水タンク１１０Ａからは既に水が規定量出ているため、当然給水タンク１１０Ａよりも給水タンク１１０Ｂのほうが重い。よって、最初に入れた給水タンク１１０Ａの位置が給水タンク１１０Ｂの位置よりも上がる。このように、給水タンク１１０Ａの位置が給水タンク１１０Ｂの位置よりも高い位置にあるので、給水タンク１１０Ａから水が無くなる。この給水タンク１１０Ａの水が無くなったときの貯水トレイ１０６における水位を水位センサ１４１によって検知すると同時に、報知部１４２によってユーザに給水タンク１１０Ａの水が無くなったことを報知する。そして、水が無くなった給水タンク１１０Ａに水を補給して、再度、給水タンク１１０Ａをセットすると、今度は、給水タンク１１０Ａのほうが給水タンク１１０Ｂよりも重くなるため、給水タンク１１０Ｂの位置が給水タンク１１０Ａの位置よりも上がる。このように、給水タンク１１０Ｂの位置が給水タンク１１０Ａの位置よりも高い位置にあるので、給水タンク１１０Ｂから水が無くなる。この給水タンク１１０Ｂの水が無くなったときの貯水トレイ１０６における水位を水位センサ１４１によって検知すると同時に、報知部１４２によってユーザに給水タンク１１０Ｂの水が無くなったことを報知する。
【００４６】
従って、報知部１４２等によって、片方の給水タンクの水が無いことをユーザに知らせることにより、片方の給水タンクのみに水を補給する補給作業を行えばよいことになり、ユーザにとって給水タンクの補給作業の負担を軽減することができる。しかも、先に載置した給水タンクから水が無くなるため、タンク内の水も清潔に保つことができる。
【００４７】
なお、前記実施形態１，２においては、何れも給水タンク１１０Ａ、１１０Ｂの位置を異ならせることにより、相手よりも高い位置にある給水タンクから水を無くす点について説明した。以下の実施形態３，４では、給水タンク１１０Ａ、１１０Ｂの位置を異ならせずに、使用する給水タンクを選択し、選択した給水タンクから水を無くす例について説明する。
【００４８】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００４９】
（給水タンク選択部）
図１０は、本実施形態の給水タンク選択部を備えた加湿機１において、給水タンクを露出させた状態を示す図である。
【００５０】
（給水タンク選択部の概要）
図１０は、ハウジング１０１の給水タンク１１０Ａ、１１０Ｂおよび給水タンク選択部１５０を露出させた状態を示す正面図である。
【００５１】
図１１は、ハウジング１０１の底面を示す図であり、図１２は、給水タンク選択部１５０を構成する電磁弁１５２の一例を示す図である。
【００５２】
給水タンク選択部１５０は、図１０に示すように、２つの給水タンク（給水タンク１１０Ａ、１１０Ｂ）と貯水トレイ１０６との間に設けられ、上記給水タンク１１０Ａ，１１０Ｂから当該貯水トレイ１０６に給水するための給水管１５１Ａ，１５１Ｂの開閉を行う電磁弁１５２と、上記２つの給水タンク１１０Ａ，１１０Ｂそれぞれに設けられた磁石１６１Ａ，１６１Ｂ（図１７）と、当該磁石１６１Ａ，１６１Ｂの磁界によってオン・オフするリードスイッチ１６２Ａ，１６２Ｂ（図１７）と、上記リードスイッチ１６２Ａ，１６２Ｂのオン・オフに応じて上記電磁弁１５２の開閉を制御する電磁弁制御部２０１（図７）と、を有する。
【００５３】
給水管１５１Ａ、１５１Ｂは、図１１に示すように、貯水トレイ１０６の底部１０６ａに設けられている。給水管１５１Ａ、１５１Ｂには、電磁弁１５２に接続された弁体１５３Ａ，１５３Ｂ（図１３〜図１６）が挿入され、当該弁体１５３Ａ、１５３Ｂの移動により、水タンク１１０Ａ，１１０Ｂから当該貯水トレイ１０６への給水を制御するようになっている。この電磁弁１５２を用いた給水制御の詳細は後述する。
【００５４】
電磁弁１５２は、図１２に示すように、ソレノイド部１５２ａと、当該ソレノイド部１５２ａにより別々に可動可能に設けられた２つのプランジャ１５２Ａ、１５３Ｂと、で構成されている。プランジャ１５２Ａ、１５２Ｂそれぞれの先端部には、弁体１５３Ａ、１５３Ｂが接続される。
【００５５】
（給水制御）
図１３〜図１６は、貯水トレイ１０６への給水制御時の電磁弁１５２の動きを示す図であり、それぞれの図の（ａ）は側面から見た図、（ｂ）は貯水トレイ１０６の底面部側から見た図である。
【００５６】
流路全閉時、図１３の（ａ）（ｂ）に示すように、電磁弁１５２はプランジャ１５２Ａ、１５２Ｂの両方を伸ばしてそれぞれの先端部に設けられた弁体１５３Ａ、１５３Ｂを給水管１５１Ａ、１５１Ｂにおける給水路を閉塞する位置まで移動させる。給水路は、給水タンク１１０Ａ、１１０Ｂから貯水トレイ１０６に給水するための水路である。従って、給水管１５１Ａ、１５１Ｂの両方の給水路を閉塞すれば、給水タンク１１０Ａ、１１０Ｂの両方から貯水トレイ１０６に給水されない。
【００５７】
流路片側開放（給水タンク１１０Ａ側の流路のみ開放）時、図１５の（ａ）（ｂ）に示すように、電磁弁１５２はプランジャ１５２Ａを引っ張って先端部に設けられた弁体１５３Ａを給水管１５１Ａにおける給水路を開放する位置に移動させる。一方、電磁弁１５２はプランジャ１５２Ｂを伸ばして先端に設けられた弁体１５３Ｂを給水管１５１Ｂの給水路を閉塞する位置に移動させる。これにより、給水タンク１１０Ａから貯水トレイ１０６への給水のみが可能となる。
【００５８】
流路片側開放（給水タンク１１０Ｂ側の流路のみ開放）時、図１４の（ａ）（ｂ）に示すように、電磁弁１５２はプランジャ１５２Ｂを引っ張って先端部に設けられた弁体１５３Ｂを給水管１５１Ｂにおける給水路を開放する位置に移動させる。一方、電磁弁１５２はプランジャ１５２Ａを伸ばして先端に設けられた弁体１５３Ａを給水管１５１Ａの給水路を閉塞する位置に移動させる。これにより、給水タンク１１０Ｂから貯水トレイ１０６への給水のみが可能となる。
【００５９】
流路全開時、図１６の（ａ）（ｂ）に示すように、電磁弁１５２はプランジャ１５２Ａ、１５２Ｂの両方を引っ張ってそれぞれの先端部に設けられた弁体１５３Ａ、１５３Ｂを給水管１５１Ａ、１５１Ｂの給水路を開放する位置に移動させる。給水路は、給水タンク１１０Ａ、１１０Ｂから貯水トレイ１０６に給水するための水路である。従って、給水路を開放すれば、給水タンク１１０Ａ、１１０Ｂの両方から貯水トレイ１０６に給水される。
【００６０】
電磁弁１５２は、給水タンク１１０Ａ、１１０Ｂの何れかが選択されたことをトリガにしてプランジャ１５２Ａ、１５２Ｂを駆動させる。
【００６１】
（電磁弁の制御）
図１７の（ａ）は、給水タンク１１０Ａ、１１０Ｂそれぞれに磁石１６１Ａ、１６１Ｂを設けた図、（ｂ）（ｃ）は、磁石１６１Ａ、１６１Ｂによりオン・オフするリードスイッチ１６２Ａ、１６２Ｂの形成位置を示す図である。
【００６２】
リードスイッチ１６２Ａ、１６２Ｂは、図１７の（ｃ）に示すように、ハウジング１０１内の貯水トレイ１０６の上側であって、給水タンク１１０Ａ、１１０Ｂが装填されたときに、当該給水タンク１１０Ａ、１１０Ｂそれぞれに設けられた磁石１６１Ａ、１６１Ｂに対向する位置に設けられている。つまり、リードスイッチ１６２Ａ、１６２Ｂは、給水タンク１１０Ａ、１１０Ｂがそれぞれ所定の位置に装填されたときに、磁石１６１Ａ、１６１Ｂによってオンするようになっている。リードスイッチ１６２Ａ、１６２Ｂがオンされると、その信号が電磁弁制御部２０１（図７）に送られ、電磁弁１５２を駆動させる。
【００６３】
例えば、電磁弁制御部２０１は、リードスイッチ１６２Ａからオンを示す信号が送られてくると、プランジャ１５２Ａを引っ張って先端部に設けられた弁体１５３Ａを給水管１５１Ａにおける給水路を開放する位置に移動させる一方、プランジャ１５２Ｂを伸ばして先端に設けられた弁体１５３Ｂを給水管１５１Ｂの給水路を閉塞する位置に移動させるように電磁弁１５２を制御する。これにより、給水タンク１１０Ａから貯水トレイ１０６への給水のみを可能とする状態にする。つまり、給水タンク選択部１５０によって給水タンク１１０Ａが選択されたことを意味する。
【００６４】
また、電磁弁制御部２０１は、リードスイッチ１６２Ｂからオンを示す信号が送られてくると、プランジャ１５２Ｂを引っ張って先端部に設けられた弁体１５３Ｂを給水管１５１Ｂにおける給水路を開放する位置に移動させる一方、プランジャ１５２Ａを伸ばして先端に設けられた弁体１５３Ａを給水管１５１Ａの給水路を閉塞する位置に移動させるように電磁弁１５２を制御する。これにより、給水タンク１１０Ｂから貯水トレイ１０６への給水のみを可能とする状態にする。つまり、給水タンク選択部１５０によって給水タンク１１０Ｂが選択されたことを意味する。
【００６５】
このように、リードスイッチ１６２Ａ、１６２Ｂを用いれば、加湿機１に先に装填された給水タンクを特定することができる。例えば給水タンク１１０Ａを先に装填し、その後、給水タンク１１０Ｂを装填した場合、先に装填された給水タンク１１０Ａから水を無くすことができるので、例えば報知部１４２によってユーザに給水タンクの水が無くなったことを報知する。そして、水が無くなった給水タンク１１０Ａに水を補給して、再度、給水タンク１１０Ａをセットすると、今度は、既に装填されている給水タンク１１０Ｂが先に装填されていることになり、当該給水タンク１１０Ｂから水を無くすことになる。この場合も、報知部１４２によってユーザに給水タンク１１０Ｂの水が無くなったことを報知する。
【００６６】
従って、報知部１４２等によって、片方の給水タンクの水が無いことをユーザに知らせることにより、片方の給水タンクのみに水を補給する補給作業を行えばよいことになり、ユーザにとって給水タンクの補給作業の負担を軽減することができる。しかも、先に載置した給水タンクから水が無くなるため、タンク内の水も清潔に保つことができる。
【００６７】
上記では、加湿機１内に先に装填された給水タンクを特定するために、リードスイッチ１６２Ａ、１６２Ｂを用いる例について説明したが、以下では、重量センサを用いて加湿機１内に先に装填された給水タンクを特定する例について説明する。
【００６８】
（変形例）
図１８は、給水タンク選択部１６０の概要を説明するための図である。
【００６９】
給水タンク選択部１６０は、図１８に示すように、２つの給水タンク１１０Ａ，１１０Ｂそれぞれを載置する第１載置部１１１Ａ、第２載置部１１１Ｂと、第１載置部１１１Ａおよび第２載置部１１１Ｂそれぞれの底部に設けられ、当該第１載置部１１１Ａおよび第２載置部１１１Ｂそれぞれに給水タンク１１０Ａ、１１０Ｂが載置されたときに、それぞれの重量を検出する重量センサ１１２Ａ，１１２Ｂと、を有している。
【００７０】
重量センサ１１２Ａ、１１２Ｂは、給水タンク１１０Ａ、１１０Ｂそれぞれの重みを検知し、検知信号を電磁弁制御部２０１（図７）に送る。電磁弁制御部２０１は、重量センサ１１２Ａ、１１２Ｂからの検知信号から、軽い方の給水タンクを特定し、特定した給水タンクから水が無くなるように電磁弁１５２を駆動させる。
【００７１】
例えば、電磁弁制御部２０１は、２つの検知信号から給水タンク１１０Ａのほうが給水タンク１１０Ｂよりも軽いと特定したとき、プランジャ１５２Ａを引っ張って先端部に設けられた弁体１５３Ａを給水管１５１Ａにおける給水路を開放する位置に移動させる一方、プランジャ１５２Ｂを伸ばして先端に設けられた弁体１５３Ｂを給水管１５１Ｂの給水路を閉塞する位置に移動させるように電磁弁１５２を制御する。これにより、給水タンク１１０Ａから貯水トレイ１０６への給水のみを可能とする状態にする。つまり、給水タンク選択部１６０によって給水タンク１１０Ａが選択されたことを意味する。
【００７２】
また、電磁弁制御部２０１は、２つの検知信号から給水タンク１１０Ｂのほうが給水タンク１１０Ａよりも軽いと特定したとき、プランジャ１５２Ｂを引っ張って先端部に設けられた弁体１５３Ｂを給水管１５１Ｂにおける給水路を開放する位置に移動させる一方、プランジャ１５２Ａを伸ばして先端に設けられた弁体１５３Ａを給水管１５１Ａの給水路を閉塞する位置に移動させるように電磁弁１５２を制御する。これにより、給水タンク１１０Ｂから貯水トレイ１０６への給水のみを可能とする状態にする。つまり、給水タンク選択部１６０によって給水タンク１１０Ｂが選択されたことを意味する。
【００７３】
このように、重量センサ１１２Ａ、１１２Ｂを用いれば、何れの給水タンクから水を供給すべきかを特定することが可能となるので、特定された給水タンクから水を無くすことができるので、例えば報知部１４２によってユーザに給水タンクの水が無くなったことを報知する。
【００７４】
従って、報知部１４２等によって、片方の給水タンクの水が無いことをユーザに知らせることにより、片方の給水タンクのみに水を補給する補給作業を行えばよいことになり、ユーザにとって給水タンクの補給作業の負担を軽減することができる。しかも、先に載置した給水タンクから水が無くなるため、タンク内の水も清潔に保つことができる。
【００７５】
なお、本変形例では、重量センサ１１２Ａ、１１２Ｂは、図１８に示すように、それぞれ第１載置部１１１Ａ、第２載置部１１１Ｂの底部に設けた例について説明したが、第１載置部１１１Ａ、第２載置部１１１Ｂに搭載された給水タンク１１０Ａ、１１０Ｂの重量を検出できる位置であればどこに設けてもよい。
【００７６】
また、本実施形態３および変形例において、給水タンクを２つ用いた場合の例について説明したが、３つ以上の複数の給水タンクを用いてもよい。３つの以上の複数の給水タンクの場合であっても、リードスイッチが最初にオンになった給水タンク、または重量センサにより一番軽い給水タンクから貯水トレイに給水するようにすればよい。
【００７７】
〔まとめ〕
本発明の態様１に係る加湿機１は、貯水トレイ１０６と、上記貯水トレイ１０６に給水する複数の給水タンク（給水タンク１１０Ａ、１１０Ｂ）とを備え、上記貯水トレイ１０６に貯水された水を利用して加湿する加湿機１であって、上記複数の給水タンク（給水タンク１１０Ａ、１１０Ｂ）から、上記貯水トレイ１０６に最初に給水する給水タンクを選択する給水タンク選択部（１２０，１３０，１５０，１６０）を有し、上記給水タンク選択部（１２０，１３０，１５０，１６０）によって選択された給水タンクは、当該給水タンク内の水の量が、当該給水タンクへの水の補給が必要な水の量になるまで、上記貯水トレイ１０６に給水することを特徴としている。
【００７８】
上記構成によれば、複数の給水タンクから選択された給水タンクは、当該給水タンク内の水の量が、当該給水タンクへの水の補給が必要な水の量になるまで、上記貯水トレイ１０６に給水する。これにより、複数の給水タンクのうち、水の補給が必要な給水タンクを特定することが可能となり、当該給水タンクのみに対して補給作業を行えばよいことになり、ユーザにとって給水タンクの補給作業の負担を軽減することができる。ここで、給水タンクへの水の補給が必要な水の量とは、給水タンク内にほとんど水が残っていない、所謂空の状態も含む。以下では、水の補給が必要な水の量の給水タンクとは、水が無くなった給水タンクとして説明している。
【００７９】
本発明の態様２に係る加湿機１は、上記態様１において、上記複数の給水タンクは２つの給水タンク（給水タンク１１０Ａ、１１０Ｂ）であり、上記給水タンク選択部１２０は、給水タンク１１０Ａを載置する第１載置部１２１Ａと、給水タンク１１０Ｂを載置する第２載置部１２１Ｂと、上記第１載置部１２１Ａと上記第２載置部１２１Ｂとを連結する連結部材１２２と、上記連結部材１２２を揺動自在に支持する支持部１２３と、を有してもよい。
【００８０】
上記構成によれば、一方の給水タンクである給水タンク１１０Ａを載置する第１載置部１２１Ａと、他方の給水タンクである給水タンク１１０Ｂを載置した第２載置部１２１Ｂとを連結する連結部材１２２を支持部１２３によって揺動自在に支持することで、２つの給水タンク（給水タンク１１０Ａ、１１０Ｂ）は、シーソー構造によって支持されることになる。つまり、給水タンク１１０Ａが給水タンク１１０Ｂよりも重ければ、第１載置部１２１Ａに載置された給水タンク１１０Ａの位置が第２載置部１２１Ｂに載置された給水タンク１１０Ｂの位置よりも下になるように２つの載置部（第１載置部１２１Ａ、第２載置部１２１Ｂ）が移動する。よって、第１載置部１２１Ａに載置された給水タンク１１０Ａの位置よりも上にある第２載置部１２１Ｂに載置された給水タンク１１０Ｂから貯水トレイ１０６に水が供給される。これにより、第２載置部１２１Ｂに載置された給水タンク１１０Ｂから水が無くなる。そして、水の無くなった給水タンク１１０Ｂを加湿機から取出し、再度水を補給した給水タンク１１０Ｂを第２載置部１２１Ｂに載置すると、既に、第１載置部１２１Ａに載置された給水タンク１１０Ａからはいくらかの水が貯水トレイ１０６に供給されているので、第１載置部１２１Ａに載置された給水タンク１１０Ａは、第２載置部１２１Ｂに載置された給水タンク１１０Ｂよりも軽くなっている。このため、第２載置部１２１Ｂに給水タンク１１０Ｂが載置されると、第１載置部１２１Ａに載置された給水タンク１１０Ａの位置よりも第２載置部１２１Ｂに載置された給水タンク１１０Ｂの位置が下がるため、第２載置部１２１Ｂよりも上になった第１載置部１２１Ａに載置された給水タンク１１０Ａから貯水トレイ１０６に水が供給される。
【００８１】
従って、上記構成の加湿機では、先に載置した給水タンクから必ず貯水トレイに水が供給されるので、当該先に載置した給水タンクから水が無くなる。これにより、片方の給水タンクの水が無いことをユーザに知らせることにより、片方の給水タンクのみに水を補給する補給作業を行えばよいことになり、ユーザへ補給作業への負担を軽減することができる。しかも、先に載置した給水タンクから水が無くなるため、タンク内の水も清潔に保つことができる。
【００８２】
本発明の態様３に係る加湿機１は、上記態様１において、上記複数の給水タンクは２つの給水タンク（給水タンク１１０Ａ、１１０Ｂ）であり、上記給水タンク選択部１３０は、給水タンク１１０Ａを載置する第１載置部１３１Ａと、給水タンク１１０Ｂを載置する第２載置部１３１Ｂと、上記第１載置部１３１Ａおよび上記第２載置部１３１Ｂそれぞれを弾性力によって支持する弾性部材（第１バネ１３２Ａ、第２バネ１３２Ｂ）と、を有してもよい。
【００８３】
上記構成によれば、一方の給水タンクである給水タンク１１０Ａを載置する第１載置部１３１Ａと、他方の給水タンクである給水タンク１１０Ｂを載置する第２載置部１３１Ｂとが、それぞれ弾性力の弾性部材（第１バネ１３２Ａ、第２バネ１３２Ｂ）によって支持される。つまり、給水タンク１１０Ａが給水タンク１１０Ｂよりも重ければ、第１載置部１３１Ａに載置された給水タンク１１０Ａの位置が第２載置部１３１Ｂに載置された給水タンク１１０Ｂの位置よりも下になるように２つの載置部（第１載置部１３１Ａ、第２載置部１３１Ｂ）が弾性部材（第１バネ１３２Ａ、第２バネ１３２Ｂ）によって移動する。よって、第１載置部１３１Ａに載置された給水タンク１１０Ａの位置よりも上にある第２載置部１３１Ｂに載置された給水タンク１１０Ｂから貯水トレイ１０６に水が供給される。これにより、第２載置部１３１Ｂに載置された給水タンク１１０Ｂから水が無くなる。そして、水の無くなった給水タンク１１０Ｂを加湿機１から取出し、再度水を補給した給水タンク１１０Ｂを第２載置部１３１Ｂに載置すると、既に、第１載置部１３１Ａに載置された給水タンク１１０Ａからはいくらかの水が貯水トレイ１０６に供給されているので、第１載置部１３１Ａに載置された給水タンク１１０Ａは、第２載置部１３１Ｂに載置された給水タンク１１０Ｂよりも軽くなっている。このため、第２載置部１３１Ｂに給水タンク１１０Ｂが載置されると、第１載置部１３１Ａに載置された給水タンク１１０Ａの位置よりも第２載置部１３１Ｂに載置された給水タンク１１０Ｂの位置が下がるため、第２載置部１３１Ｂよりも上になった第１載置部１３１Ａに載置された給水タンク１１０Ａから貯水トレイ１０６に水が供給される。
【００８４】
従って、上記構成の加湿機では、先に載置した給水タンクから必ず貯水トレイに水が供給される、先に載置した給水タンクから水が無くなる。これにより、片方の給水タンクの水が無いことをユーザに知らせることにより、片方の給水タンクのみに水を補給する補給作業を行えばよいことになり、ユーザへ補給作業への負担を軽減することができる。しかも、先に載置した給水タンクから水が無くなるため、タンク内の水も清潔に保つことができる。
【００８５】
本発明の態様４に係る加湿機１は、上記態様１において、上記給水タンク選択部１５０は、２つの給水タンク（給水タンク１１０Ａ、１１０Ｂ）と上記貯水トレイ１０６との間に設けられ、上記給水タンク（給水タンク１１０Ａ、１１０Ｂ）から当該貯水トレイ１０６に給水するための給水管１５１Ａ、１５１Ｂの開閉を行う電磁弁１５２と、上記２つの給水タンク（給水タンク１１０Ａ、１１０Ｂ）それぞれが上記貯水トレイ１０６への給水位置に載置されたとき、上記２つの給水タンク（給水タンク１１０Ａ、１１０Ｂ）それぞれに設けられた磁石１６１Ａ、１６１Ｂと、当該磁石１６１Ａ、１６１Ｂの磁界によってオン・オフするリードスイッチ１６２Ａ、１６２Ｂと、上記リードスイッチ１６２Ａ、１６２Ｂのオン・オフに応じて上記電磁弁１５２の開閉を制御する電磁弁制御部２０１と、を有してもよい。
【００８６】
上記構成によれば、リードスイッチ１６２Ａ、１６２Ｂのうち、先にオンになったリードスイッチに対応する給水タンクを、貯水トレイ１０６に給水する給水タンクとして選択する。これにより、選択された給水タンクから水が貯水トレイ１０６に供給されるので、片方の給水タンクの水が無いことをユーザに知らせることにより、片方の給水タンクのみに水を補給する補給作業を行えばよいことになり、ユーザへ補給作業への負担を軽減することができる。
【００８７】
本発明の態様５に係る加湿機１は、上記態様１において、上記給水タンク選択部１６０は、２つの給水タンク（給水タンク１１０Ａ、１１０Ｂ）と上記貯水トレイ１０６との間に設けられ、上記給水タンク（給水タンク１１０Ａ、１１０Ｂ）から当該貯水トレイ１０６に給水するための給水管１５１Ａ、１５１Ｂの開閉を行う電磁弁１５２と、上記２つの給水タンク（給水タンク１１０Ａ、１１０Ｂ）それぞれが上記貯水トレイ１０６への給水位置に載置されたとき、それぞれの給水タンクの重量を検出する重量センサ１１２Ａ、１１２Ｂと、上記重量センサ１１２Ａ、１１２Ｂの検出信号に応じて上記電磁弁１５２の開閉を制御する電磁弁制御部２０１と、を有してもよい。
【００８８】
上記構成によれば、重量センサ１１２Ａ、１１２Ｂの検出信号により、軽いほうの給水タンクを、貯水トレイ１０６に給水する給水タンクとして選択する。これにより、選択された給水タンクから水が貯水トレイ１０６に供給されるので、片方の給水タンクの水が無いことをユーザに知らせることにより、片方の給水タンクのみに水を補給する補給作業を行えばよいことになり、ユーザへ補給作業への負担を軽減することができる。
無くなったことを報知することができる。
【００８９】
本発明の態様６に係る加湿機１は、上記態様１〜５の何れか１態様において、気化または霧化された上記貯水トレイ１０６に貯水された水を風に乗せて外部に排出する送風部（送風ファン１０９）と、上記給水タンク選択部（１２０，１３０，１５０，１６０）によって選択された給水タンクの水が無くなったとき、風量を下げるように上記送風部（送風ファン１０９）を制御する送風制御部（ファン制御部１４６）と、を備えていてもよい。
【００９０】
上記構成によれば、片方の給水タンクの水が無くなったときに、送風機の風量を下げることで、加湿運転時間を長くすることができる。例えば、片方の給水タンクの水が無くなっても補給作業がすぐに行えない就寝中に加湿運転が停止するのを防止することが可能となる。
【００９１】
本発明の態様７に係る加湿機１は、上記態様１〜６の何れか１態様において、上記給水タンク選択部（１２０，１３０，１５０，１６０）によって選択された給水タンクの水の量が、当該給水タンクへの水の補給が必要な水の量まで減ったことを報知する報知部１４２をさらに備えていてもよい。
【００９２】
上記構成によれば、報知部１４２によりユーザに対して確実に片方の給水タンクの水の量が、当該給水タンクへの水の補給が必要な水の量まで減ったことを知らせることができる。報知部による報知方法として、音、音声、操作パネルへの表示、ＬＥＤの点灯、点滅等がある。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９４】
１  加湿機
１０１  ハウジング
１０２  吸気口
１０３  送気口
１０６  貯水トレイ
１０６ａ  底部
１０７  加湿フィルタ（加湿部）
１０９  送風ファン（送風部）
１１０Ａ，１１０Ｂ  給水タンク
１１１Ａ  第１載置部
１１１Ｂ  第２載置部
１１２Ａ，１１２Ｂ  重量センサ
１２０，１３０，１５０，１６０  給水タンク選択部
１２１Ａ  第１載置部
１２１Ｂ  第２載置部
１２２  連結部材
１２３  支持部
１３１Ａ  第１載置部
１３１Ｂ  第２載置部
１３２Ａ  第１バネ（弾性部材）
１３２Ｂ  第２バネ（弾性部材）
１４０  給水制御部
１４１  水位センサ
１４２  報知部
１４３  ファン駆動モータ
１４４  報知制御部
１４５  水位検知制御部
１４６  ファン制御部
１５１Ａ，１５１Ｂ  給水管
１５２  電磁弁
１５２Ａ，１５２Ｂ  プランジャ
１５２ａ  ソレノイド部
１５３Ａ，１５３Ｂ  弁体
１６１Ａ，１６１Ｂ  磁石
１６２Ａ，１６２Ｂ  リードスイッチ
２０１  電磁弁制御部
【図１】
2018084349.tif 000003
【図２】
2018084349.tif 000004
【図３】
2018084349.tif 000005
【図４】
2018084349.tif 000006
【図５】
2018084349.tif 000007
【図６】
2018084349.tif 000008
【図７】
2018084349.tif 000009
【図８】
2018084349.tif 000010
【図９】
2018084349.tif 000011
【図１０】
2018084349.tif 000012
【図１１】
2018084349.tif 000013
【図１２】
2018084349.tif 000014
【図１３】
2018084349.tif 000015
【図１４】
2018084349.tif 000016
【図１５】
2018084349.tif 000017
【図１６】
2018084349.tif 000018
【図１７】
2018084349.tif 000019
【図１８】
2018084349.tif 000020